(57)【要約】【課題】センサ装置に装着するだけで流体流路へのゴミの侵入を確実に防ぐことができ、しかもその着脱を簡易に行うことのできるゴミ侵入防止部品を提供する。【解決手段】センサ装置５の流体流路の出入口６の開口高さに相当する幅の所定長さの、例えばステンレス鋼からなる金属製のバネ板をその長手方向に折り曲げ加工し、特に流体流路を形成した側壁に沿って位置付けられる主体部１１の両端を一方向にそれぞれ略直角に折り曲げた部位を、前記一対の出入口をそれぞれ覆って位置付けられてセンサ装置を挟み込んで装着される一対の閉塞片１２としたゴミ侵入防止用プレート体として実現する。【選択図】      図１
2004340594.tif 000002
【特許請求の範囲】
【請求項１】
所定の流体流路を備えたセンサ装置に装着されて上記流体流路の出入口からのゴミの侵入を防止するゴミ侵入防止部品であって、
前記流体流路における出入口の開口高さに相当する幅の所定長さの金属製のバネ板をその長手方向に折り曲げ加工してなり、前記センサ装置の前記流体流路を形成した側壁に沿って位置付けられる主体部の両端を一方向にそれぞれ略直角に折り曲げた部位を、前記一対の出入口をそれぞれ覆って位置付けられて前記センサ装置を挟み込んで装着される一対の閉塞片としたことを特徴とするゴミ侵入防止部品。
【請求項２】
前記一対の閉塞片は、前記一対の出入口内にそれぞれ侵入して該閉塞片の前記センサ装置に対する装着位置を規制する突起を備えたものである請求項１に記載のゴミ侵入防止部品。
【請求項３】
前記センサ装置は、流体の通流方向に所定の間隔を隔てて設けられた一対の測温部を備えた熱式流量センサを搭載した基板に、該基板の表面に沿って上記センサ上を通過する流体流路を一方向に形成するカバー体を設けたものからなる請求項１に記載のゴミ侵入防止部品。
【発明の詳細な説明】
【０００１】
【発明の属する技術分野】
本発明は、基板に搭載されたセンサ上を通過する流体流路を一方向に形成したカバー体を備えたセンサ装置に装着されて、上記流体流路の出入口からのゴミの侵入を防ぐに好適なゴミ侵入防止部品に関する。
【０００２】
【関連する背景技術】
基板に搭載されたセンサ上を通過する流体流路を一方向に形成したカバー体を備えたセンサ装置として、本出願人は先に図４に示すような流量計を提唱した（例えば特許文献１を参照）。この流量計（センサ装置）は、流体の通流方向に所定の間隔を隔てて設けた一対の測温部を備えた１．５ｍｍ角程度の大きさの熱式流量センサ１をセラミック基板２に搭載し、上記基板１上に断面形状が略コの字状の合成樹脂製のカバー体３を設けることで、上記基板２の表面に沿って熱式流量センサ１上を通過する流体流路を一方向に形成した構造を有する。ちなみにこの流量計（センサ装置）は、例えば８．８ｍｍ×６．５ｍｍ×４．０ｍｍ程度の大きさのチップ部品からなる。
【０００３】
尚、基板２は、流体流路を形成したカバー体３よりもその流体の通流方向に僅かに長い形状を有し、そのカバー体３から１．０ｍｍ程度突出した縁部には、該流量計（センサ装置）を所定の回路基板等に実装に用いられる複数（４個）の円弧状の切欠き４が設けられている。
【０００４】
【特許文献１】
特願２００２−３７９３６８号
【０００５】
【発明が解決しようとする課題】
ところで上述した構造の流量計（センサ装置）は、例えばチップマウンタ用のフィーダテープに１個ずつラッピングされて出荷される。しかしフィーダテープから流量計（センサ装置）を取り出して各種の機器に実装する場合、その実装作業時に前述した基板２とカバー体３との間に形成された流体流路内に塵やゴミが侵入する虞がある。このような不具合を未然に防ぐには、例えばその使用時まで流量計（センサ装置）における流体流路の出入口を粘着テープ等を用いて閉塞しておくことが必要となる。
【０００６】
しかしながら粘着テープを用いて流体流路の出入口を塞ぐには、出入口の大きさに合わせて予め粘着テープを切断加工しておく必要がある。しかも出入口の大きさも小さいので、その作業自体が極めて面倒である。また粘着テープを剥がしたとき、往々にして流量計（センサ装置）の端面（出入口の近傍）に糊（接着剤）が残ることがあるので糊の除去作業（掃除）が必要となる。しかも粘着テープを貼付したまま流量計（センサ装置）を所定の機器に組み込んで半田付け作業等を行った場合、その熱によって粘着テープが溶ける虞もある。従ってゴミの侵入防止手段として粘着テープを用いることは好ましくない。
【０００７】
本発明はこのような事情を考慮してなされたもので、その目的は、センサ装置に装着するだけで流体流路の出入口からのゴミの侵入を確実に防ぐことができ、しかもセンサ装置からの取り外しを簡易に行うことのできる取り扱いの容易なゴミ侵入防止部品を提供することにある。
【０００８】
【課題を解決するための手段】
上述した目的を達成するべく本発明に係るゴミ侵入防止部品は、所定の流体流路を備えたセンサ装置に装着されて上記流体流路の出入口からのゴミの侵入を防止するものであって、
前記流体流路の出入口の開口高さに相当する幅の所定長さの、例えばステンレス鋼からなる金属製のバネ板をその長手方向に折り曲げ加工してなり、特に前記流体流路を形成した側壁に沿って位置付けられる主体部の両端を一方向にそれぞれ略直角に折り曲げた部位を、前記一対の出入口をそれぞれ覆って位置付けられて前記センサ装置挟み込んで装着される一対の閉塞片とした金属製のゴミ侵入防止用プレート体として実現したことを特徴としている。
【０００９】
ちなみに前記一対の閉塞片は、前記一対の出入口内にそれぞれ侵入して該閉塞片の前記センサ装置に対する装着位置を規制する突起を備えたものとして実現いることが好ましい。また前記センサ装置が、流体の通流方向に所定の間隔を隔てて設けられた一対の測温部を備えた熱式流量センサを搭載した基板に該基板の表面に沿って上記センサ上を通過する流体流路を一方向に形成するカバー体を設けた流量計である場合には、前記ゴミ侵入防止用プレート体をカバー体の高さの幅を有するものとすれば十分である。
【００１０】
このような金属製のゴミ侵入防止用プレート体からなるゴミ侵入防止部品によれば、センサ装置に対する着脱が容易である。しかもゴミ侵入防止用プレート体を装着したまま、例えば熱式流量センサを備えたセンサ装置を所定の回路基板等に半田付けすることができるので、上記熱式流量センサの汚れを防止してその特性を保証する上で好ましい。
【００１１】
【発明の実施の形態】
以下、図面を参照して本発明の一実施形態に係るゴミ侵入防止部品について説明する。
このゴミ侵入防止部品は、前述した図４に示す構造の流量計（センサ装置）５の付属品として好適なものであって、図１に示すように所定幅の長尺の金属製のバネ板（例えば厚み０．２ｍｍのステンレス鋼）をその長手方向に折り曲げ加工した略コの字形の形状を有するプレート体１０からなる。
【００１２】
即ち、流量計（センサ装置）５が、前述したようにセンサを搭載した基板１上に断面形状が略コの字状の合成樹脂製のカバー体３を設けて該基板１とカバー体２との間に流体流路を形成し、その両端部に上記流体流路の一対の出入口６を設けた構造を有するものとすると、ゴミ侵入防止部品（プレート体）１０は、例えば上記カバー体３の高さに相当する幅（例えば２．２ｍｍ）を有する長尺の金属製のバネ板を折り曲げ加工して製作される。
【００１３】
具体的にはこのゴミ侵入防止部品（プレート体）１０は、前記カバー体３の側壁に沿って位置付けられる主体部１１の両端を一方向にそれぞれ略直角に折り曲げて略コの字状に加工した形状を有する。そして主体部１１を間にして互いに対向する一対の折り曲げ片部を、前述した流量計（センサ装置）５における一対の出入口６をそれぞれ覆って位置付けられて前記カバー体３を挟み込んで装着される一対の閉塞片１２とした構造を有する。
【００１４】
換言すればゴミ侵入防止部品（プレート体）１０は、図２にその平面図を示すように、基板２上に流体流路を形成したカバー体３の側壁の長さ（流体流路の長さ）に相当する長さの主体部１１の両側に、該主体部１１に連なる一対の閉塞片１２，１２をそれぞれ設け、これらの閉塞片１２，１２を略平行に対峙させた構造を有する。好ましくは上記一対の閉塞片１２，１２は、前記主体部１１に対してその折り曲げ角θが９０°よりも若干鋭角となるように折り曲げられており、その先端側を若干内側に偏倚させている。
【００１５】
ちなみにこれらの閉塞片１２，１２の長さは、前記カバー体３の両端部の長さよりも若干長く設定されており、カバー体３が形成した流体流路の一対の出入口６を、例えば開口面積が６．４ｍｍ×１．８ｍｍ程度の開口部の全てをそれぞれ覆う大きさを有している。またこれらの各閉塞片１２，１２の略中央部には、その内側に向けて０．２ｍｍ程度突出して前記出入口６の開口部にそれぞれ嵌合する半円弧状の複数の突起（エンボス）１３が設けられている。これらの突起１３は、上記出入口６を形成したカバー体３の内壁面にそれぞれ係合することで流量計（センサ装置）５のカバー体３に装着される閉塞片１２，１２の装着位置を規制すると共に、カバー体３に装着したゴミ侵入防止部品（プレート体）１０の不本意な外れを防止する役割を担う。
【００１６】
尚、各閉塞片１２，１２の先端部１４は、それぞれ所定の曲率で外側に向けて曲げ加工されている。これらの曲げ加工された各閉塞片１２，１２の先端部１４は、ゴミ侵入防止部品（プレート体）１０を流量計（センサ装置）５のカバー体３に装着する際のガイド部としての役割を担う。即ち、各閉塞片１２，１２の先端側は、前述したように内側に向けて若干偏倚されており、カバー体２の長さよりも僅かに狭くなっている。各閉塞片１２，１２の先端部１４は、このようなカバー体３にゴミ侵入防止部品（プレート体）１０を装着する際、各閉塞片１２，１２をその弾性力に抗して外側に押し広げて、その装着を容易化する役割を担っている。
【００１７】
かくして上述した構造のゴミ侵入防止部品（プレート体）１０によれば、図１に示すようにカバー体３の側壁面側から一対の閉塞片１２，１２を押し広げながら装着すれば、前述した突起（エンボス）１３がカバー体３の出入口６に嵌り込んだとき、図３に示すように流量計（センサ装置）５の周囲を３方向から囲んで一体に装着される。そして前記閉塞片１２，１２は、カバー体３から突出している基板２の上面に載置された状態で取り付けられる。特にゴミ侵入防止部品（プレート体）１０は、一対の閉塞片１２，１２にてカバー体３を流体流路の形成方向に所定の弾性力にて挟み込んで、しかも突起１３と出入口６との嵌合によってその装着位置を規制した状態で安定に取り付けられる。
【００１８】
従ってこのようにして流量計（センサ装置）５に取り付けられるゴミ侵入防止部品（プレート体）１０によれば、該流量計（センサ装置）５における流体流路の出入口６をそれぞれ塞いで該流体流路への塵やゴミの侵入を効果的に防止することが可能となる。このような基本的に機能に加えて、このゴミ侵入防止部品（プレート体）１０によれば、流量計（センサ装置）５の周囲を３方向から囲んで取り付けられるだけであり、該流量計（センサ装置）５の上面および下面を覆うことがないので、チップマウンタにより流量計（センサ装置）５の上面を吸着する場合であっても、何等の不具合を生じることがない。また流量計（センサ装置）５の上面を撮像してその部品検査を行う場合であっても、ゴミ侵入防止部品（プレート体）１０の存在が邪魔になることがない。
【００１９】
またゴミ侵入防止部品（プレート体）１０が金属体からなるので、該ゴミ侵入防止部品（プレート体）１０を装着したまま流量計（センサ装置）５を所定の回路基板等に実装する場合であっても、半田付け作業に伴う熱の影響を受けることがない。換言すれば従来の粘着テープを用いた場合のように、熱によってテープが溶けるような不具合がない。更には流量計（センサ装置）５からのゴミ侵入防止部品（プレート体）１０の取り外しも容易であり、再装着も容易に行い得る。特に従来のように粘着テープを取り外した後に、流量計（センサ装置）５に糊が残るような不具合がないので、その取り扱いの容易化を図り得る。
【００２０】
特にこのようなゴミ侵入防止部品（プレート体）１０であれば、流量計（センサ装置）５の出荷時から、該流量計（センサ装置）５を所定の回路基板や機器に取り付ける作業工程を経て、その運用を開始するまでの期間に亘って流量計（センサ装置）５に取り付けたままの状態としておくことができるので、流量計（センサ装置）５の流体流路内へのゴミの侵入を長期に亘って効果的に防止することができる等の実用上多大なる効果が奏せられる。更には上記ゴミ侵入防止部品（プレート体）１０は、金属板に対するプレス加工だけで簡易に生息することができるので、その製作コストを十分廉価に抑えることができる等の利点もある。
【００２１】
尚、本発明は上述した実施形態に限定されるものではない。ここではチップ部品としての流量計（センサ装置）５に装着するゴミ侵入防止部品（プレート体）１０について説明したが、流体流路を備えた他のセンサ装置にも同様に適用することができる。またゴミ侵入防止部品（プレート体）１０の大きさについては、センサ装置５の大きさに合わせて定めれば良いものであり、前述した寸法例に特定されないことは言うまでもない。またゴミ侵入防止部品（プレート体）１０をプラスチック（合成樹脂材）にて形成することも可能であるが、その製造コストを勘案した場合には、前述したようにステンレス鋼等の金属を用いる方が好都合である。その他、本発明はその要旨を逸脱しない範囲で種々変形して実施することができる。
【００２２】
【発明の効果】
以上説明したように本発明に係るゴミ侵入防止体によれば、センサ装置の流体流路を形成した側壁に沿って位置付けられる主体部の両端を一方向にそれぞれ略直角に折り曲げ、これらの部位を上記流体流路における一対の出入口をそれぞれ覆って位置付けられて前記センサ装置を挟み込んで装着される一対の閉塞片とした金属製のゴミ侵入防止用プレート体として実現されるので、その取り扱いの容易化を図り得る等の実用上多大なる効果が奏せられる。
【図面の簡単な説明】
【図１】本発明の一実施形態に係るゴミ侵入防止体とセンサ装置との関係を示す図。
【図２】図１に示すゴミ侵入防止体の構成を示す平面図。
【図３】本発明の一実施形態に係るゴミ侵入防止体をセンサ装置に装着した状態を示す図。
【図４】センサ装置としての流量計の構造例を示す図。
【符号の説明】
２  基板
３  カバー体
５  センサ装置
６  流体流路の出入口
１０  ゴミ侵入防止部品（プレート体）
１１  主体部
１２  閉塞片
１３  突起（エンボス）
【図１】
2004340594.tif 000003
【図２】
2004340594.tif 000004
【図３】
2004340594.tif 000005
【図４】
2004340594.tif 000006